【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
基板、
前記基板上に実装されている複数の発光ダイオードを含み、
前記発光ダイオードは、少なくとも１つの白色光を発する白色発光ダイオード及び少なくとも１つの赤色光を発する赤色発光ダイオードを含み、
前記白色発光ダイオードは、紫外線発光ダイオードチップ及びこれを覆っている赤色、緑色、及び青色蛍光体の混合物を含む、表示装置用光源。
【請求項２】
前記発光ダイオードチップは、リードフレーム上に配置されており、前記蛍光体はモールディング材で覆われている、請求項１に記載の表示装置用光源。
【請求項３】
前記白色発光ダイオード及び前記赤色発光ダイオードは前記基板上に一列に配列されていて、前記白色発光ダイオード及び前記赤色発光ダイオードが交互に現れるように配置されている、請求項１に記載の表示装置用光源。
【請求項４】
前記白色発光ダイオードは前記赤色発光ダイオードを囲む形態に配列されている、請求項１に記載の表示装置用光源。
【請求項５】
基板、
前記基板上に実装されていて、紫外線を発光する第１発光ダイオードチップ及び前記第１発光ダイオードチップが発する光の波長を変換し、赤色、緑色、及び青色蛍光体の混合物を含む蛍光体を含む第１発光ダイオード、
前記基板上に実装されていて、蛍光体を含まない第２発光ダイオードを含む、表示装置用光源。
【請求項６】
前記第２発光ダイオードは赤色、緑色、及び青色のうちのいずれか１つを発する、請求項５に記載の表示装置用光源。
【請求項７】
前記第２発光ダイオードは赤色光を発する、請求項５に記載の表示装置用光源。
【請求項８】
前記第１発光ダイオード及び前記第２発光ダイオードは前記基板上に一列に配列されていて、前記第１発光ダイオード及び前記第２発光ダイオードが交互に現れるように配置されている、請求項５に記載の表示装置用光源。
【請求項９】
前記第１発光ダイオードは前記第２発光ダイオードを囲む形態に配列されている、請求項５に記載の表示装置用光源。
【請求項１０】
基板、
前記基板上に形成されていて、スペクトル幅が６００ｎｍ以下の波長範囲にかかる光を発する第１発光ダイオード、
前記基板上に形成されていて、スペクトル幅が６００ｎｍ以上の波長範囲にかかる光を発する第２発光ダイオードを含み、
前記第１発光ダイオードは、紫外線発光ダイオードチップ及びこれを覆っている赤色、緑色、及び青色蛍光体の混合物を含む、表示装置用光源。
【請求項１１】
前記第１発光ダイオードが発する光のスペクトルは少なくとも２ヶ所のピークを有し、前記第２発光ダイオードが発する光のスペクトルは１ヶ所のピークを有する、請求項１０に記載の表示装置用光源。
【請求項１２】
前記第１発光ダイオードが発する光のスペクトルは赤色、緑色、及び青色領域の３ケ所でピークを有する、請求項１１に記載の表示装置用光源。
【請求項１３】
前記第２発光ダイオードが発する光のスペクトルは赤色領域でピークを有する、請求項１１に記載の表示装置用光源。
【請求項１４】
リードフレーム、
前記リードフレーム上に実装されていて、紫外線を発光する第１発光ダイオードチップ、
前記第１発光ダイオードチップを覆っていて、赤色、緑色、及び青色蛍光体の混合物を含む蛍光体、
前記リードフレーム上に実装されている第２発光ダイオードチップ、
前記第１及び第２発光ダイオードチップ及び前記蛍光体を覆って保護するモールディング材を含む、発光ダイオード。
【請求項１５】
前記第１発光ダイオードチップの数は第２発光ダイオードチップの数より多い、請求項１４に記載の発光ダイオード。
【請求項１６】
前記第１発光ダイオードチップは青色光を発し、前記第２発光ダイオードチップは赤色光を発する、請求項１４に記載の発光ダイオード。
【請求項１７】
前記第２発光ダイオードチップは赤色、緑色、及び青色のうちのいずれか１つを発する、請求項１４に記載の発光ダイオード。
【請求項１８】
導光板、
前記導光板の一側面に配置されていて、白色光を発する白色発光ダイオード及び赤色光を発する赤色発光ダイオードを含む第１表示装置用光源を含み、
前記導光板は前記第１表示装置用光源が配置された側面で厚さが最も厚く、その反対側の側面に向かって厚さが次第に薄くなる、バックライト装置。
【請求項１９】
前記導光板は側面に溝を有し、前記白色発光ダイオード及び前記赤色発光ダイオードの発光部は前記溝に収容されている、請求項１８に記載のバックライト装置。
【請求項２０】
前記導光板の前記第１表示装置用光源が配置された側面の反対側の側面に第２表示装置用光源がさらに配置されている、請求項１８に記載のバックライト装置。
【請求項２１】
前記白色発光ダイオードは、青色発光ダイオードチップ及びこれを覆っている黄色蛍光体を含む、請求項１８に記載のバックライト装置。
【請求項２２】
基板、
前記基板上に実装されていて、白色光を発する白色発光ダイオード、
前記基板上に実装されていて、赤色光を発する赤色発光ダイオード、
前記基板上に形成されていて、少なくとも前記白色発光ダイオード及び前記赤色発光ダイオードの発光部を露出する孔を有する反射板を含み、
前記白色発光ダイオードは、紫外線発光ダイオードチップ及びこれを覆っている赤色、緑色、及び青色蛍光体の混合物を含む、バックライト装置。
【請求項２３】
前記白色発光ダイオード及び前記赤色発光ダイオードは前記基板上に一列に配列されている、請求項２２に記載されているバックライト装置。
【請求項２４】
前記基板は複数が互いに平行に配置されている、請求項２３に記載のバックライト装置。
【請求項２５】
基板と、
第１波長範囲にかかる光を発し、前記基板上に実装されている第１発光ダイオードと、
第２波長範囲にかかる光を発し、前記基板上に実装されている第２発光ダイオードと、
を含み、
前記第１発光ダイオードは、紫外線発光ダイオードチップ及びこれを覆っている赤色、緑色、及び青色蛍光体の混合物を含み、前記第１波長範囲と第２波長範囲とは実質的に互いに重畳せず、前記第１及び第２波長範囲を合わせれば、可視光線波長の領域の全体にかかる波長範囲をなす、表示装置用光源。
【手続補正２】
【補正対象書類名】明細書
【補正対象項目名】００１０
【補正方法】変更
【補正の内容】
【００１０】
具体的には、基板、前記基板上に実装されている複数の発光ダイオードを含み、前記発光ダイオードは、少なくとも１つの白色光を発する白色発光ダイオード及び少なくとも１つの赤色光を発する赤色発光ダイオードを含み、前記白色発光ダイオードは、紫外線発光ダイオードチップ及びこれを覆っている赤色、緑色、及び青色蛍光体の混合物を含む、表示装置用光源を提供する。
【手続補正３】
【補正対象書類名】明細書
【補正対象項目名】００１３
【補正方法】変更
【補正の内容】
【００１３】
この時、前記第２発光ダイオードは赤色光を発することが好ましく、前記第２発光ダイオードは赤色光を発することも可能であり、前記第１発光ダイオード及び前記第２発光ダイオードは前記基板上に一列に配列されていて、前記第１発光ダイオード及び前記第２発光ダイオードが交互に現れるように配置されていることが好ましい。前記第１発光ダイオードは前記第２発光ダイオードを囲む形態に配列されることが好ましい。
【手続補正４】
【補正対象書類名】明細書
【補正対象項目名】００１４
【補正方法】変更
【補正の内容】
【００１４】
または、基板、前記基板上に形成されていて、スペクトル幅が６００ｎｍ以下の波長範囲にかかる光を発する第１発光ダイオード、前記基板上に形成されていて、スペクトル幅が６００ｎｍ以上の波長範囲にかかる光を発する第２発光ダイオードを含む表示装置用光源を提供する。
【手続補正５】
【補正対象書類名】明細書
【補正対象項目名】００１６
【補正方法】変更
【補正の内容】
【００１６】
また、リードフレーム、前記リードフレーム上に実装されていて、紫外線を発光する第１発光ダイオードチップ、前記第１発光ダイオードチップを覆っていて、赤色、緑色、及び青色蛍光体の混合物を含む蛍光体、前記リードフレーム上に実装されている第２発光ダイオードチップ、前記第１及び第２発光ダイオードチップ及び前記蛍光体を覆って保護するモールディング材を含む発光ダイオードを提供する。
【手続補正６】
【補正対象書類名】明細書
【補正対象項目名】００１７
【補正方法】変更
【補正の内容】
【００１７】
この時、前記第１発光ダイオードチップの数は第２発光ダイオードチップの数より多いことが好ましく、前記第１発光ダイオードチップは青色光を発し、前記第２発光ダイオードチップは赤色光を発することが好ましい。前記第２発光ダイオードチップは赤色、緑色、及び青色のうちのいずれか１つの光を発する。